(57)【要約】  本発明は、伸縮式タワー（１００）、好ましくは風力タービンタワー（１０１）を吊り上げるための可動モジュール（１）および方法に関する。タワーの上昇セクション（２１０）は、すぐ外側のタワーの支持セクション（２１１）に対して吊り上げられる。可動モジュール（１）は、好ましくは、少なくとも１つの油圧ジャッキ（２）と、油圧ジャッキを介して事前に設置され、伸縮式タワー（１００）の吊り上げ方法を実行している間、ジャッキに連結されたままである少なくとも１つの吊り上げケーブル（３）と、少なくとも１つの吊り上げケーブル（３）の自由端に配置されたグループ化手段（４）と、を備える。有利なことに、吊り上げ中に、可動モジュール（１）は、一時的に支持セクション（２１１）のヘッドに固定され、グループ化手段（４）は、一時的に上昇セクション（２１０）のベースに固定される。
2021522429.tif 000002
【特許請求の範囲】
【請求項１】
伸縮式タワー（１００）を吊り上げるための可動モジュール（１）であって、吊り上げられる前記タワー（１００）の上昇セクションを、すぐ外側の前記タワー（１００）の支持セクション（２１１）に対して吊り上げるのに適し、前記支持セクション（２１１）のヘッドに一時的に固定されるのにも適し、
少なくとも１つの油圧ジャッキ（２）と、
前記油圧ジャッキ（２）を通過する複数のストランド（３’）により形成され、一端が前記油圧ジャッキ（２）の上部から突出し、他端が前記油圧ジャッキ（２）の下部から突出する、少なくとも１つの吊り上げケーブル（３）と、
前記吊り上げケーブル（３）の前記一端に実質的に配置され、前記吊り上げケーブル（３）を構成する前記ストランド（３’）を一緒にグループ化したままにし、前記ケーブル（３）の平均直径Ｄは、４・ｄ・（Ｎ）１／２よりも小さい、グループ化手段（４）と、
ここで、ｄは、前記吊り上げケーブル（３）を形成するストランド（３’）の平均直径であり、Ｎは、前記吊り上げケーブル（３）を形成するストランド（３’）の総数である、
前記油圧ジャッキ（２）の下部が固定され、前記吊り上げケーブル（３）の通路用のチャネルを有する支持フレーム（２’）と、
を備え、
前記可動吊り上げモジュール（１）により、前記油圧ジャッキ（２）を介して前記吊り上げケーブル（３）を双方向に移動させることと、前記吊り上げケーブル（３）を基本的に下降方向に延ばすおよび基本的に上昇方向に巻き取ることと、が可能になり、
前記可動モジュール（１）は、前記吊り上げケーブル（３）が完全に引き込まれ、または巻き取られ、および前記吊り上げケーブル（３）の下端と前記グループ化手段（４）とが前記フレーム（２’）の前記チャネル内に収容される移動位置を採用する、ケーブル巻き取り要素（６）を備える、
伸縮式タワー（１００）を吊り上げるための可動モジュール（１）。
【請求項２】
前記ケーブル巻き取り要素（６）は、前記モジュール（１）のアセンブリに対して上昇した位置に配置され、吊り上げ中に労働者の循環を容易にするのに適している、
請求項１に記載の伸縮式タワー（１００）を吊り上げるための可動モジュール（１）。
【請求項３】
前記油圧ジャッキ（２）から突出している前記吊り上げケーブル（３）のガイドを可能にする、ケーブル（５）のガイド用の少なくとも１つのガイド要素（７）、
を備える、
請求項１または２に記載の伸縮式タワー（１００）を吊り上げるための可動モジュール（１）。
【請求項４】
前記ガイド要素（７）は、前記タワー（１００）の上昇セクション（２１０）に接触している、
請求項３に記載の伸縮式タワー（１００）を吊り上げるための可動モジュール（１）。
【請求項５】
前記グループ化手段（４）は、
再生可能であり、
ねじ込み式ウェッジプレート（９）、および／または、
前記ウェッジプレートにねじ込み可能な第１ねじ込み式分配プレート（１０）、および／または、
前記ウェッジプレート（９）が通過可能な穴を有する第２分配プレート（１１）、
を備える、
請求項１から４のいずれか１項に記載の伸縮式タワー（１００）を吊り上げるための可動モジュール（１）。
【請求項６】
前記ウェッジプレート（９）は、
前記吊り上げケーブル（３）を収容することを意図したセクション（２１０、２１１）の複数の導管を通すよう構成されたガイド要素（７）、
を備える、
請求項５に記載の伸縮式タワー（１００）を吊り上げるための可動モジュール（１）。
【請求項７】
前記モジュール（１）の動きを、倒れた状態の前記伸縮式タワー（１００）の形状に適合させるための、少なくとも１つの補助構造、
を備える、
請求項１から６のいずれか１項に記載の伸縮式タワー（１００）を吊り上げるための可動モジュール（１）。
【請求項８】
１つまたは複数の作業足場（３００）、および／または、前記フレーム（２’）に連結された装置収納部、を備える、
請求項１から７のいずれか１項に記載の伸縮式タワー（１００）を吊り上げるための可動モジュール（１）。
【請求項９】
すぐ外側の前記タワー（１００）の支持セクション（２１１）に対して吊り上げられる少なくとも１つの上昇セクション（２１０）を含み、請求項１から８のいずれかに記載された少なくとも１つの可動モジュール（１）を使用する、伸縮式タワー（１００）の吊り上げ方法であって、
ａ）前記支持セクション（２１１）のヘッドに前記可動モジュール（１）を配置するステップと、
ｂ）前記吊り上げケーブル（３）を展開するために前記可動モジュール（１）を使用して、前記支持セクション（２１１）のヘッドから前記上昇セクション（２１０）のベースまで、下降方向に前記吊り上げケーブル（３）を伸ばすステップと、
ｃ）前記油圧ジャッキ（２）で上昇方向に前記吊り上げケーブル（３）を巻き取るために前記可動モジュール（１）を使用して、前記支持セクション（２１１）のヘッドに接触するまで、前記上昇セクション（２１０）を吊り上げるステップと、
ｄ）前記支持セクション（２１１）のヘッドに吊り上げられた前記上昇セクション（２１０）のベースを固定するステップと、
ｅ）前記上昇セクション（２１０）のベースから前記吊り上げケーブル（３）を解放するステップと、
ｆ）前記移動位置に前記可動モジュールを位置決めするステップと、
ｇ）前記支持セクション（２１１）のヘッドから前記可動モジュール（１）を取り外すステップと、
を含み、それぞれのステップが任意の技術的に可能な順序で実行される、
伸縮式タワー（１００）の吊り上げ方法。
【請求項１０】
前記タワー（１００）の少なくとも２つの異なるセクションが吊り上げられ、
前記ステップａ）からｇ）は、前記タワー（１００）の異なるセクションを吊り上げるために繰り返され、
前記セクションの異なる吊り上げ動作の間に、
ｈ）新しい位置に前記可動モジュール（１）を再位置決めするステップ、および／または
ｉ）別の吊り上げ動作のために前記タワーの別の支持セクション（２１１）のヘッドに前記可動吊り上げモジュール（１）を水平移動させるステップ、
を実行する、
請求項９に記載の伸縮式タワー（１００）の吊り上げ方法。
【請求項１１】
前記タワー（１００）の少なくとも２つの異なるセクションが吊り上げられ、前記タワーの最奥セクション（２０１）が最初に吊り上げられる、および／または、
吊り上げられる異なるタワーセクション（２００）のヘッドは、ほとんど同じレベルに配置される、
請求項９または１０に記載の伸縮式タワー（１００）の吊り上げ方法。
【請求項１２】
前記吊り上げモジュール（１）は、少なくとも１つの水平移動手段（８）を介して、前記異なるタワーセクション（２００）の前記ヘッドに位置決めするために、放射状に移動される、
請求項９から１１のいずれか１項に記載の伸縮式タワー（１００）の吊り上げ方法。
【請求項１３】
ステップｂ）を実行する前に、
ｊ）前記タワーの前記最奥セクションの前記ベースに補助作業構造を配置するステップ、
を含む、
請求項９から１２のいずれか１項に記載の伸縮式タワー（１００）の吊り上げ方法。
【請求項１４】
請求項９から１３のいずれか１項に記載の方法によって設置される伸縮式タワー（１００）。
【請求項１５】
請求項１から１４のいずれか１項による伸縮式タワー（１００）に支持される風力発電機。
【発明の詳細な説明】
【技術分野】
【０００１】
本発明は、伸縮式タワー、例えばコンクリート製および／または金属製の伸縮式タワーを吊り上げるための可動モジュールに関する。その主要用途は、建設業であり、特に、タワー、より具体的には伸縮式タワーの組立である。
【背景技術】
【０００２】
一般的に風力タービンを支持するのに使用されるような高層タワー構造は、プレハブ式の鉄筋コンクリートセグメントおよび／またはプレストレストコンクリートセグメントによって構築されることが多い。その後、それらは設置場所に搬送され、クレーンによって吊り上げられ、最終的な位置に組み立てられる。円形断面を有するタワーの場合、それぞれの縦断面は一般的に連結されたセグメントから組み立てられる。最初にアセンブリタワーの下セクションが建てられ、その後、次のセクションを下セクションの上に吊り上げて、クレーンを使用して最終的な位置に持ち上げる。セクションは通常、地面で事前に組み立てられるが、代わりに、特定のセクションのセグメントを個別に吊り上げ、その後、前のセクションの上部に組み立てられてもよい。設置方法の最後のステップとして、上部を吊り上げて、風力タービンの発電機およびローターにより形成されたアセンブリを支持する。
【０００３】
風力タービンの高さは、１００〜１５０ｍ程度であり、１〜数十メガワットの電力を生成する能力のある発電ユニットを支持することができる。このようなタワーを建設する従来の技術では、大型のクレーンを使用してタワーのセグメントを持ち上げる必要があり、このため、少なくともタワー自体の全高以上の吊り上げ高さを有する必要がある。最大２００トンの重量を有する発電ユニットもまた、構造の上部の最終的な位置まで持ち上げる必要がある。この目的のために、そのような高さまでこれらの重量を安全に持ち上げることのできるクレーンは非常に大型で高価であり、このタイプのクレーンを設置場所に搬送するプロセスは、設置するのと同様に、熟練した作業員、重機、およびタワーを形成する異なる要素を搬送することのできる道路の建設をも必要とする複雑なタスクである。これらの複雑性は、タワーが設置された後のタワーのメンテナンスおよび修理のタスクの際にも再現される。
【０００４】
特許出願の国際公開第２００９／０１０７７１号には、タワーのいくつかのプレハブ式の伸縮式セクションを地面で水平に組み立てる伸縮式タワーの吊り上げ方法が記載されている。伸縮式セクションは、クレーンを使用して、または外側の隣接するセクションに対してそれぞれのセクションを持ち上げることにより、支持要素およびパワージャッキなどの伸長式コネクタの配置を使用して、垂直位置でともに吊り上げられる。上述の出願に記載されている上昇方法では、それぞれの垂直セクションは、隣接する外側セクションの中に入れ子状に配置され、このため、壁要素はそれぞれの外側タワーセクションの内面を覆う追加の支持壁を形成する。
【０００５】
しかし、国際公開第２００９／０１０７７１号に記載されたタワーの吊り上げ方法には、次のような欠点がある。第一に、この方法は、内部セクションの下部にある突起で、それぞれのタワーセクションの下部にあるフランジを支持することに基づいている。これは、それぞれの後続の内部セクションがその外部隣接セクションに載っているため、セクションを特定の順序で吊り上げる必要があるということを意味する。第二に、国際公開第２００９／０１０７７１号の方法は、内部壁構造全体（タワー自体と略同じ大きさである）の建設および後続の解体を示すため、過度に手間がかかる。このため、タワー建設スピードに深刻な影響を与える可能性がある。第三に、記載された方法は、タワーのすべてのセクションの壁が実質的に平行である構造に対してのみ適している。
【０００６】
国際公開第２００９／０１０７７１号に提案されている方法の代替として、国際特許出願の国際公開第２０１１／００６５２６号に記載された方法などの、改良された吊り上げ方法が検討されてきた。この方法は、地面に実質的に同軸に配置された複数の伸縮式セクションに基づいており、複数の伸縮式セクションは、タワーの全高を形成する伸縮式セクションを形成する最奥セクション、および最奥セクションの周りに配置された１つまたは複数のセクションを備える。セクションを互いに固定するために、伸縮式セクションの上部と下部との間の複数のジャッキングテンドン（ｊａｃｋｉｎｇ  ｔｅｎｄｏｎｓ）を通してフィッティングステップが実行される。張力は、油圧ジャッキを使用してテンドンに印加されることにより、それぞれのセクションの重量は、隣接するセクションの上部ジャッキポイントで支持され、セクションは、上述のジャッキングテンドンに張力がかかることにより、セクションが持ち上げられる。
【０００７】
国際公開第２０１１／００６５２６号に記載された代替方法により、従来の伸縮式タワーを設置するプロセスを改良することができるが、設置前のステップの複雑性と、タワーセクションを吊り上げるための実行時間とに関連して、根本的に最先端技術でも未解決のまま残された問題が依然として存在する。より具体的には、上述の出願に記載された発明は、それぞれの伸縮式セクションでテンドンを設置する第１設置フェーズと、タワーを完全に持ち上げる様々な吊り上げ動作を実行するために、油圧ジャッキのケーブルへの連結およびケーブルからの解放をする後のフェーズとを含む。しかし、たるんだケーブルを配置する事前タスクと、油圧ジャッキをケーブルに連結する後続タスクが必要であるため、これは設置前および吊り上げ作業に時間がかかることを意味する。さらに、ジャッキポイントは、敏感であり非常に大きな責任を負うため、タワーに関係する可能性のある様々な吊り上げ動作のそれぞれに対して、油圧ジャッキをケーブルから解放して他に連結しなければならず、それに応じて、作業、時間、およびリスクが増加する。
【０００８】
先行技術に内在するこの問題および他の問題を解決するために、本発明の目的は、クレーン無しで、またはタワーセクションの大きさと実質的に等しいサイズを有する小さなクレーンを使用して、タワーのセクションを組み立て可能な、吊り上げ式可動モジュールおよび吊り上げ方法を提供することである。この方法は、既知の技術と比較してはるかに迅速に、はるかに効率的に、タワーセクションを吊り上げることを含み、この方法によると、さらに、非平行壁を有するタワーセクションを使用することができる。
【発明の概要】
【０００９】
本発明は、伸縮式タワーを吊り上げる可動式モジュール、および対応する伸縮式タワーの吊り上げ方法を提供する。タワーは、好ましくは、コンクリート製および／または金属製のタワーであり、これにより、タワーの吊り上げプロセスを最適化することができる。
【００１０】
本発明の別の目的は、上述の方法の間に実行される動作の数を減らすことができるシステムを提供することでもあり、したがって、より複雑なプロセスを回避し、コスト、時間、およびリスクを低減することができる。
【００１１】
提案された発明により、動作時間はさらに短縮され、プロセス全体が合理化され、同時に、タワーを吊り上げる時間を短縮することができ、これは、重要な運用上および経済上の節約を示す。さらに、風力発電所は、通常、多くのタワーを有することを考慮すると、本発明は、発電所の様々なタワーの吊り上げ手段および設備を再生および再利用するための能力および容易さを質的に改善する。
【００１２】
上記の目的は、伸縮式タワー、好ましくは風力タービンタワーを吊り上げるための可動モジュールを使用して達成される。タワーの上昇セクションは、すぐ外側のタワーの支持セクションに対して吊り上げられる。ここで、可動モジュールは、有利には以下を備える。
少なくとも１つの油圧ジャッキ。
油圧ジャッキを介して事前に設置され、伸縮式タワーの吊り上げ方法を実行している間ジャッキに連結されたままである、少なくとも１つの吊り上げケーブル。
少なくとも１つの吊り上げケーブルの自由端に配置されたグループ化手段。
【００１３】
同様に、タワーの吊り上げ中、可動モジュールは、一時的に支持セクションのヘッドに固定され、グループ化手段は、一時的に上昇セクションのベースに固定される。
【００１４】
より具体的には、本発明の目的は、本明細書の特許請求の範囲に従って、伸縮式タワーを吊り上げるための可動モジュールおよび伸縮式タワーの吊り上げ方法によって実行される。
【００１５】
油圧ジャッキおよび吊り上げケーブルが、伸縮式タワーの吊り上げ方法の実行中に、少なくとも１つの吊り上げケーブルの自由端に配置されたグループ化手段とともに、単一の可動装置に便利かつ恒久的に統合されるという事実は、本発明の重要な側面である。従来の発明と異なり、たるんだケーブルを配置し、油圧ジャッキとケーブルとを連結および開放するという連続した多数の動作を回避することができ、プロセス全体を容易に、および合理化し、その信頼性を向上させることができる。このため、本明細書に記載されたモジュールは、その適用中に、吊り上げケーブルの位置決め、およびそれぞれのセクションの上昇を単一のステップで実行することができる。好ましくは、吊り上げケーブルと吊り上げジャッキとの間のいかなる連結／切断動作も実行することなく、異なる吊り上げ動作に対してケーブルを再利用することができる。
【００１６】
同様に、タワーの異なるセクションを吊り上げるために確立される異なる位置に配置されるよう、可動モジュールを容易に移動することができる。さらに、モジュールは常に単一部品として移動する。すなわち、吊り上げフェーズの間に、たった１回の移動だけでよく、合理化およびコストの点において大幅な改善が図られている。この特徴は、要素を１つずつ動員しなければならないという現在の最新技術で知られている解決策とは全く異なる。これは、現在の最先端技術に対する本発明の重要な利点であることを意味する。
【００１７】
さらに、上述の目的は、本発明による可動モジュールを使用した伸縮式タワーの吊り上げ方法によって達成される。その方法は、技術的に可能な任意の順序で実行される次のステップを含むことを特徴とする。
支持セクションのヘッドに吊り上げモジュールを位置決めするステップ。
グループ化手段を介して上昇セクションのベースに吊り上げケーブルを固定するステップ。
油圧ジャッキで吊り上げケーブルを巻き取って、それにより上昇セクションを吊り上げるステップ。
支持セクションのヘッドに吊り上げられた上昇セクションのベースを固定するステップ。
上昇セクションのベースからグループ化手段を解放するステップ。
支持セクションのヘッドから可動モジュールを解放するステップ。
【００１８】
可動モジュールはまた、油圧ジャッキの上部から突出する吊り上げケーブルをガイドすることのできる少なくとも１つのケーブルガイド構造も備えてもよい。
【００１９】
同様に、モジュールはまた、労働者の循環が促進されるように、上昇した位置にさらに配置することのできる少なくとも１つのケーブル巻き取り要素を備えてもよい。この意味で、巻き取り要素のこの位置は、実行される動作を大幅に容易にする。このため、オペレータの自由な循環を可能にし、作業足場の寸法の縮小および／またはその設置の回避により、本発明の別の重要な利点を示す。巻き取り要素は、ドラムまたはリコイラーの形式であってもよく、または当技術分野で既知の類似のまたは同等の要素であってもよい。巻き取り要素は、受動的でも能動的でもよく、吊り上げケーブルの展開および／または引き込みにおいて協働するためのモーターまたは同様のものを組み込んでもよい。
【００２０】
さらに、可動モジュールはまた、上昇セクションに接触するガイド要素を備えてもよい。これは、好ましくは、滑り接触または転がり接触であり、および／またはキャタピラトラックタイプの要素による接触である。
【００２１】
次に、上述の伸縮式タワーの吊り上げ方法は、タワーの少なくとも２つの異なるセクションを吊り上げるステップを含んでもよい。この方法の主なステップは、タワーの異なるセクションを吊り上げるために繰り返される。この場合、この方法は、タワーの最奥セクションが初めに吊り上げられ、最奥セクションから最外セクションへ吊り上げが継続されることを特徴としてもよい。
【００２２】
伸縮式タワーの吊り上げ方法において、吊り上げる予定の異なるタワーセクションのヘッドを、ほとんど同じレベルに配置することができる。それにより、例えば、少なくとも１つの水平移動手段、１つまたは複数のレールなどを介して、異なるタワーセクションのヘッドに位置決めするために、本発明の可動モジュールを放射状に移動することができる。
【００２３】
同様に、方法は、グループ化手段が再生可能であり、以下を含み得ることを特徴とする。
ねじ込み式ウェッジプレート（ｗｅｄｇｅ  ｐｌａｔｅ）
ウェッジプレートにねじ込み可能な第１ねじ込み式分配プレート
ウェッジプレートが通過可能な穴を有する第２分配プレート
【００２４】
ウェッジプレートは、吊り上げケーブルを収容することを意図した異なるセクションの導管を通ることのできる保護要素を備えてもよい。同様に、ウェッジプレートの保護要素は、詰まりを防止するために尖っていてもよい。
【００２５】
上述のおよび他の特徴および利点は、添付の図面を参照して、以下の実施の形態の詳細な説明からより良く理解されるであろう。これらは、限定ではなく例示として考慮されなければならない。
【図面の簡単な説明】
【００２６】
【図１】本発明の好ましい実施の形態にかかる伸縮式タワーを吊り上げるための可動モジュールの全体図
【図２】ケーブルをガイドする補助構造とケーブルを巻き取る巻き取り構造とをさらに備える本発明の可動モジュールの実施形態を示す図
【図３】ガイド要素をさらに備える本発明の可動モジュールの実施形態を示す図
【図４】（ａ）２つの油圧ジャッキを有する構成に基づく本発明の実施形態の正面図（ｂ）複数の統合モジュールの適用に基づく可能なタワー吊り上げ構成の平面図
【図５】本発明に記載された吊り上げ方法の可能な実施形態の異なるステップを示す図
【図６】本発明に記載されたグループ化手段の実施形態を示す図
【図７】本発明に記載されたウェッジプレートの保護要素の可能な実施形態を示す図
【発明を実施するための形態】
【００２７】
図１〜７は、伸縮式タワー（１００）、好ましくは風力タービンタワー（１０１）を吊り上げるための本発明の可動モジュール（１）の異なる図を示す。好ましい実施形態において、可動モジュール（１）は、油圧ジャッキ（２）と、油圧ジャッキ（２）を介して事前に設置され、伸縮式タワー（１００）の吊り上げ方法を実行している間、ジャッキに連結されたままの吊り上げケーブル（３）と、吊り上げケーブル（３）の自由端に実質的に配置されるグループ化手段（４）と、を備える。
【００２８】
好ましくは、吊り上げケーブル（３）は、複数のストランド（ｓｔｒａｎｄｓ）（３’）により形成される（図６の概略分布図を参照）。ケーブル（３）は、油圧ジャッキ（２）を通り、その上端が油圧ジャッキ（２）の上部から好ましくは突出し、その下端が油圧ジャッキ（２）の下部から突出する（図２〜３参照）。吊り上げケーブル（３）は、伸縮式タワー（１００）の吊り上げ方法を実行している間、油圧ジャッキ（２）に連結されたままである（例えば、図５参照）。
【００２９】
より好ましくは、ストランド（３’）は、個別に吊り上げケーブル（３）に統合されている。つまり、ストランド（３’）は、絡み合ったり、機械的に連結されたりせず、実質的に平行な束にグループ化されている。
【００３０】
本発明の可動モジュール（１）はまた、ストランド（３’）が互いに交差するのを防ぐこと、同様に、伸縮式タワー（１００）の支持セクション（２１１）のヘッドと上昇セクション（２１０）のベース（図５参照）とに吊り上げケーブル（３）を通すのを容易にすること、を意図するグループ化手段（４）を有する。吊り上げケーブルは、図７にさらに示すように、これらのセクション（２１０、２１１）を通りそのガイドを容易にするための尖った形状を有してもよい。
【００３１】
さらに、グループ化手段（４）は、基本的に吊り上げケーブル（３）の下端に配置され、吊り上げケーブル（３）を構成するすべてのストランド（３’）をグループ化したままにする。グループ化に加えて、グループ化手段（４）は、油圧ジャッキ（２）とケーブルの下端との双方で使用されるその分布を維持するよう、ストランド（３’）の位置を維持することに貢献し、さらに、その位置を保持するためのアンカー手段として機能することができる。
【００３２】
本発明の追加の実施形態において、グループ化手段（４）は着脱可能である。グループ化手段（４）は、アンカー手段を追加するために取り外し可能であり、タワー（１００）の吊り上げ方法の後に、ケーブルの下端に再び追加することができる。
【００３３】
上述のように、本発明の可動吊り上げモジュール（１）によると、油圧ジャッキ（２）を介して吊り上げケーブルを双方向に移動させることができる。吊り上げケーブル（３）を、基本的に下降方向に延ばすこと、および基本的に上昇方向に巻き取ることの両方が可能である。
【００３４】
本発明の好ましい実施形態では、吊り上げケーブル（３）の平均直径「Ｄ」は、４・ｄ・（Ｎ）１／２よりも小さい。ここで、「ｄ」は吊り上げケーブル（３）を形成するストランド（３’）の平均直径であり、「Ｎ」はストランド（３’）の総数である。これにより、伸縮式タワー（１００）のセクション（２１０、２１１）のフランジを通過するために適切な寸法を有する吊り上げケーブル（３）を実現する。
【００３５】
本発明の可動モジュール（１）は、好ましくは、油圧ジャッキ（２）の下部が固定される支持フレーム（２’）を備え、グループ化手段（４）を収容可能な寸法を有し、吊り上げケーブル（３）の通路用のチャネルを含む。したがって、可動吊り上げモジュール（１）は、吊り上げケーブル（３）が完全に引き込まれるまたは巻き取られる、および吊り上げケーブル（３）の下端とグループ化手段（４）とがフレーム（２’）のチャネル内に収容される移動位置を採用することができる。この構成の結果、可動モジュール（１）は、フレーム（２’）に支持されて、吊り上げ動作の間、またはタワーの間、またはファームの間でさえ移動することができる。そのため、移動位置において、ケーブル（３）が、フレーム（２’）の下に突出しないようになっている。同様に、本発明の異なる実施形態では、可動モジュール（１）は、モジュールを完全に吊り下げることができる、１つまたは複数のジャッキポイント（図示省略）を備えていてもよい。ジャッキポイントは、好ましくは、移動位置において、可動モジュールの重心の垂直上に実質的に配置される。
【００３６】
本発明の別の好ましい実施形態では、フレーム（２’）は、フレーム（２’）上に単に支持されている可動モジュール（１）が、水平荷重に対して十分に安定するように水平寸法を選択してもよい。これにより、例えば、ファームのタワー間でのモジュール（１）の保管および移動を容易にする。
【００３７】
本発明の別の好ましい実施形態では、フレーム（２’）は、異なる吊り上げのために可動モジュール（１）の水平移動を容易にする水平移動手段（８）を備える。移動手段（８）は、当技術分野で既知の任意のタイプの移動装置、例えば、レールおよび／または回転手段、またはモジュール（１）のスライドを容易にする要素、であってもよい。これは、同様に、モジュール（１）をある場所から別の場所、（例えば、ある支持セクション（２１１）のヘッドから次の位置に）移動させる力を印加するための押圧手段または引張手段を組み込んでも、または使用してもよい。
【００３８】
本発明の別の好ましい実施形態では、可動モジュール（１）はさらに、好ましくはフレーム（２’）に連結された、１つまたは複数の作業足場および／または装置収納部を備える。上述の足場に収容できる装置は、通常、ジャッキ（２）に油圧で動力を加えること、および／またはその動作を制御することができる、パワーパック型システム（ｐｏｗｅｒ  ｐａｃｋ−ｔｙｐｅ  ｓｙｓｔｅｍｓ）（油圧ポンプ）またはマニホールドである。それらはまた、可動モジュール（１）の遠隔制御を容易にする通信手段を組み込んでもよい。
【００３９】
図２は、油圧ジャッキ（２）から突出した吊り上げケーブル（３）をガイドすることが可能なケーブルガイド構造（５）をさらに備える可動モジュール（１）の好ましい実施形態を示す図である。ケーブルガイド構造（５）は、伸縮式タワー（１００）のセクションを吊り上げるプロセス全体を通して機能し、可動モジュール（１）にも含まれるケーブル巻き取り要素（６）にケーブルを誘導する。この場合、伸縮式タワー（１００）の吊り上げプロセスの間、対応する作業足場での労働者の循環が容易になるよう、ケーブル巻き取り要素（６）は、上昇した位置に配置される。これにより、より大きな、それゆえに高価なプラットフォームを設置する必要性が排除される。
【００４０】
図３は、上昇セクション（２１０）に接触するガイド要素（７）を追加で組み込んだ、本発明に記載された可動モジュールの実施形態を示す図である。その接触は、好ましくは、滑り接触または転がり接触である、またはキャタピラトラックタイプの要素による接触である。したがって、ガイド要素は、吊り上げプロセス中に、伸縮式タワー（１００）のセクションに発生し得る傾斜を制限するために、構造に垂直な力を及ぼしてもよい。
【００４１】
図４（ａ）は、本発明の別の好ましい実施形態の正面図である。この場合、可動モジュール（１）は、２つの油圧ジャッキ（２）および対応する吊り上げケーブル（３）と、ケーブルをガイドするケーブルガイド構造（５）と、ケーブル巻き取り要素（６）と、を備える。さらに、この実施形態はまた、２つの油圧ジャッキ（２）の間に配置されたガイド要素（７）も備える。この実施形態によると、吊り上げられるセクションがより強力な手段を必要とする場合に、より大きな吊り上げ力を及ぼすことができる。同時に、伸縮式タワーの吊り上げプロセス全体を最適化することができる。
【００４２】
図４（ｂ）は、吊り上げられるタワーセクションの外周に均一に配置された複数の統合モジュール（１）を有する伸縮式タワーの可能な吊り上げ構成を示す平面図である。方法に含まれ、吊り上げのそれぞれのステップでの位置決めのために可動モジュール（１）を移動させることのできる、水平移動手段（８）（例えば、レール）の可能な配置は、この図に示されている。
【００４３】
ケーブル巻き取り要素（６）が上昇した位置に配置され、それゆえに労働者の循環を容易にすることの結果として、より小さい作業足場（３００）の配置がこの実施形態で示されている。
【００４４】
先行のフェーズよりもはるかに大きな重量で構造全体を持ち上げる必要性により、吊り上げの最終フェーズでだけ機能するタワー（１００）の最外セクションに配置された３つの吊り上げモジュール（１）の追加の配置もまた、示されている。
【００４５】
図５は、本発明に記載された吊り上げ方法の可能な実施形態を示す図である。
【００４６】
図５（ａ）は、第１吊り上げステップを示す図である。第１吊り上げステップでは、最初に、可動モジュール（１）を支持セクション（２１１）のヘッドに配置し、ケーブルを巻き取る手段により吊り上げを実質的に実行するセクションのベースに配置されたグループ化手段（４）により、吊り上げケーブル（３）を上昇セクション（２１０）のベースに固定する。この場合、支持セクション（２１１）は、すぐ隣のセクション（２０２）である。また、上昇セクション（２１０）はタワー（２０１）の最奥セクションである。
【００４７】
吊り上げられると、図５（ｂ）に示すように、吊り上げセクション（２０１）のベースは、支持セクション（２１１）のヘッドに固定され、支持セクション（２１１）のヘッドからグループ化手段（４）および可動モジュール（１）を解放する。続いて、図５（ｃ）は、次の支持セクション（２１１）のヘッドへの単一部品としての可動モジュール（１）の動きを示す図である。この場合、次の支持セクション（２１１）は、直接隣接したセクション（２０３）である。この場合、動きは、水平移動手段（８）を介してモジュールを滑らせることにより実行してもよいが、クレーンを使用してモジュールを持ち上げることにより実行される。
【００４８】
図５（ｄ）は、吊り上げケーブル（３）が滑って新しい上昇セクション（２１０）のベースに固定される次の吊り上げステップを示す図である。
【００４９】
図５（ｅ）は、事前に固定されたセクション（２０１、２０２）が吊り上げられる後続の吊り上げステップを示す図である。
【００５０】
最後に、図５（ｆ）は、図５（ｂ）に示されたステップと同様の次のステップを示す図である。このステップでは、吊り上げセクション（２０１、２０２）は支持セクション（２１１）に固定される。
【００５１】
上述のように、本発明の方法の利点は、吊り上げケーブル（３）と油圧ジャッキ（２）との間の連結および／または切断のステップ、またはたるんだケーブルを配置するオペレーションが不要だということである。可動モジュール（１）自体は、これにより、吊り上げ位置に配置するために巻き取りケーブル（３）を展開することができる。
【００５２】
図６は、本発明に記載されたグループ化手段（４）の実施形態を示す図である。グループ化手段（４）は、ねじ込み式ウェッジプレート（９）と、ウェッジプレートにねじ込み可能な第１ねじ込み式分配プレート（１０）と、ウェッジプレートが通過できる穴を有する第２分配プレート（１１）と、を備える。
【００５３】
この構成により、それぞれの吊り上げフェーズでのウェッジプレート（９）の配置を回避して、方法全体を通して、吊り上げケーブル（３）を油圧ジャッキ（２）に通して連結したままにする、同様の吊り上げ方法を実行することができる。
【００５４】
最後に、図７は、吊り上げケーブル（３）を収容することを意図して異なるセクションの導管を通すことができるよう、ウェッジプレート（９）に設置された保護要素（１２）を示す図である。さらに、保護要素（１２）は、導管のつまりを防ぐために先端が尖っていてもよい。
【符号の説明】
【００５５】
１  可動吊り上げモジュール
２  油圧ジャッキ
２’  フレーム
３  吊り上げケーブル
３’  吊り上げケーブルを構成するストランド
４  グループ化手段
５  ケーブルガイド構造
６  ケーブル巻き取り構造
７  ガイド要素
８  水平移動手段
９  ねじ込み式ウェッジプレート
１０  第１ねじ込み式分配プレート
１１  第２ねじ込み式分配プレート
１２  保護要素
１００  伸縮式タワー
１０１  風力タービンタワー
２００  タワーセクション
２０２  第１隣接セクション
２０３  第２隣接セクション
２１０  上昇セクション
２１１  支持セクション
３００  作業足場
【図１】
2021522429.tif 000003
【図２】
2021522429.tif 000004
【図３】
2021522429.tif 000005
【図４ａ）】
2021522429.tif 000006
【図４ｂ）】
2021522429.tif 000007
【図５】
2021522429.tif 000008
【図６】
2021522429.tif 000009
【図７】
2021522429.tif 000010
【国際調査報告】
2021522429.tif 000011
2021522429.tif 000012
2021522429.tif 000013
2021522429.tif 000014
2021522429.tif 000015
2021522429.tif 000016